(57)【要約】【課題】搬送ベルトの幅方向端部の傾斜角度を調整できる搬送装置を提供する。【解決手段】搬送装置１は装置本体２を備え、この装置本体２には物品を搬送する搬送ベルト13を設ける。搬送装置１は、搬送ベルト13の幅方向端部を支持することによりこの幅方向端部を搬送ベルト13の幅方向中央部側に向って下り傾斜する傾斜状態にする位置調整可能なベルト支持体21を備える。ベルト支持体21の位置調整により、搬送ベルト13の幅方向端部の傾斜角度が調整可能となっている。【選択図】図１
2010254426.tif 000002
【特許請求の範囲】
【請求項１】
装置本体と、
この装置本体に設けられ、物品を搬送する搬送ベルトと、
この搬送ベルトの幅方向端部を支持することによりこの幅方向端部を前記搬送ベルトの幅方向中央部側に向って下り傾斜する傾斜状態にする位置調整可能なベルト支持体とを備え、
前記ベルト支持体の位置調整により前記搬送ベルトの幅方向端部の傾斜角度が調整可能となっている
ことを特徴とする搬送装置。
【請求項２】
装置本体に設けられた保持体と、
この保持体にて脱着可能に保持され、ベルト支持体が位置調整可能に取り付けられた支持体被取付体とを備える
ことを特徴とする請求項１記載の搬送装置。
【請求項３】
装置本体に設けられ、軸部を有する保持体と、
この保持体の軸部にて回動可能に保持され、ベルト支持体が位置調整可能に取り付けられた支持体被取付体とを備え、
前記支持体被取付体は、前記軸部を中心とする一方向への回動によりベルト支持体が搬送ベルトの幅方向端部を支持する作用状態に切り換えられ、前記軸部を中心とする他方向への回動により前記ベルト支持体が前記搬送ベルトの幅方向端部を支持しない非作用状態に切り換えられる
ことを特徴とする請求項１記載の搬送装置。
【請求項４】
ベルト支持体を支持体被取付体に対して位置決め固定するための位置決め固定部材を備える
ことを特徴とする請求項２または３記載の搬送装置。
【発明の詳細な説明】
【技術分野】
【０００１】
本発明は、搬送ベルトの幅方向端部の傾斜角度を調整できる搬送装置に関する。
【背景技術】
【０００２】
従来、例えば特許文献１に記載された搬送装置が知られている。
【０００３】
この従来の搬送装置は、装置本体と、装置本体に設けられ物品を搬送する回行可能な無端状の搬送ベルトと、装置本体に脱着可能に設けられ搬送ベルトの幅方向端部を支持することによりこの幅方向端部を搬送ベルトの幅方向中央部側に向って下り傾斜する傾斜状態にするトラフ等のベルト支持体とを備えている。
【０００４】
また、ベルト支持体は、所定の角度で傾斜した搬送接触面を有する中実または中空の三角柱状の搬送接触面部と、搬送接触面部の外側面に下方に向って突設され装置本体の挿着孔に脱着可能に挿着される係止部とを有している。
【先行技術文献】
【特許文献】
【０００５】
【特許文献１】特開平８−３１０６３２号公報
【発明の概要】
【発明が解決しようとする課題】
【０００６】
しかしながら、上記従来の搬送装置は、ベルト支持体（トラフ）を装置本体に対して脱着できるものに過ぎず、近年、この種の搬送装置では、搬送ベルトの幅方向端部の傾斜角度を調整できる搬送装置が求められていた。
【０００７】
本発明は、このような点に鑑みなされたもので、搬送ベルトの幅方向端部の傾斜角度を調整できる搬送装置を提供することを目的とする。
【課題を解決するための手段】
【０００８】
請求項１記載の搬送装置は、装置本体と、この装置本体に設けられ、物品を搬送する搬送ベルトと、この搬送ベルトの幅方向端部を支持することによりこの幅方向端部を前記搬送ベルトの幅方向中央部側に向って下り傾斜する傾斜状態にする位置調整可能なベルト支持体とを備え、前記ベルト支持体の位置調整により前記搬送ベルトの幅方向端部の傾斜角度が調整可能となっているものである。
【０００９】
請求項２記載の搬送装置は、請求項１記載の搬送装置において、装置本体に設けられた保持体と、この保持体にて脱着可能に保持され、ベルト支持体が位置調整可能に取り付けられた支持体被取付体とを備えるものである。
【００１０】
請求項３記載の搬送装置は、請求項１記載の搬送装置において、装置本体に設けられ、軸部を有する保持体と、この保持体の軸部にて回動可能に保持され、ベルト支持体が位置調整可能に取り付けられた支持体被取付体とを備え、前記支持体被取付体は、前記軸部を中心とする一方向への回動によりベルト支持体が搬送ベルトの幅方向端部を支持する作用状態に切り換えられ、前記軸部を中心とする他方向への回動により前記ベルト支持体が前記搬送ベルトの幅方向端部を支持しない非作用状態に切り換えられるものである。
【００１１】
請求項４記載の搬送装置は、請求項２または３記載の搬送装置において、ベルト支持体を支持体被取付体に対して位置決め固定するための位置決め固定部材を備えるものである。
【発明の効果】
【００１２】
請求項１に係る発明によれば、ベルト支持体の位置調整により搬送ベルトの幅方向端部の傾斜角度が調整可能となっているため、搬送ベルトの幅方向端部の傾斜角度を調整できる。
【００１３】
請求項２に係る発明によれば、ベルト支持体が位置調整可能に取り付けられた支持体被取付体を保持体から取り外すことができるため、例えばベルト支持体および装置本体等を容易に清掃できる。
【００１４】
請求項３に係る発明によれば、ベルト支持体が位置調整可能に取り付けられた支持体被取付体を保持体の軸部を中心とする回動により非作用状態に切り換えることができるため、例えばベルト支持体および装置本体等を容易に清掃できる。
【００１５】
請求項４に係る発明によれば、位置決め固定部材によってベルト支持体を支持体被取付体に対して適切に位置決め固定できる。
【図面の簡単な説明】
【００１６】
【図１】本発明の一実施の形態に係る搬送装置の平面図である。
【図２】同上搬送装置の側面図である。
【図３】同上搬送装置の断面図である。
【図４】同上搬送装置の要部側面図である。
【図５】同上搬送装置のトラフ角度調整後の断面図である。
【図６】同上搬送装置のトラフ角度調整後の断面図である。
【図７】本発明の他の実施の形態に係る搬送装置の断面図である。
【図８】同上搬送装置の清掃時の状態の断面図である。
【図９】同上搬送装置の要部側面図である。
【図１０】同上搬送装置のトラフ角度調整後の断面図である。
【発明を実施するための形態】
【００１７】
本発明の搬送装置の一実施の形態を図面を参照して説明する。
【００１８】
図１ないし図４において、１は搬送装置で、この搬送装置１は、例えば転がり易い略円柱状の複数の物品Ｗをトラフ状の搬送面1a上に載せて水平な搬送方向（図１中、Ｘ方向）に向けて載置搬送するトラフ型コンベヤ装置である。なお、物品Ｗは食品や薬品等であり、この物品Ｗを搬送する搬送装置１は、例えば所定条件を満たす衛生的な環境下で使用される。
【００１９】
搬送装置１は、装置本体２を備えている。この装置本体２は、物品Ｗの搬送方向に沿った前後方向に長手方向を有するフレーム体３を有し、この前後方向長手状のフレーム体３は複数の脚体４にて支持されている。各脚体４の下端部には、装置本体２を移動させるためのキャスタ５が設けられている。
【００２０】
フレーム体３の長手方向一端部である前端部には駆動プーリ等の駆動回転体７が回転可能に設けられ、この駆動回転体７はモータ等の駆動手段８からの動力で駆動回転する。フレーム体３は、長手方向他端部である後端部に左右方向に軸部10を中心として上下方向に回動可能な回動フレーム部９を有し、この回動フレーム部９には従動プーリ等の従動回転体11が回転可能に設けられている。
【００２１】
そして、駆動回転体７および従動回転体11には、可撓性を有する樹脂製或いはゴム製等の帯状部材12にて構成された無端状の搬送ベルト13が回行可能に掛け渡され、この搬送ベルト13は、駆動回転体７の駆動回転時に所定方向に回行することにより物品Ｗを上面の搬送面1aに載せた状態で搬送方向に向けて搬送する。つまり、装置本体２の回転体７，11には、物品Ｗを搬送方向に搬送する搬送ベルト13が脱着可能に設けられている。
【００２２】
また、フレーム体３は、搬送ベルト13の往路部分（上側部分）13aの幅方向中央部を下方から水平状態に摺接可能に支持する前後方向長手状で水平状のベルト支持部であるベルト支持板部16と、このベルト支持板部16の左右方向両端部である幅方向両端部から下方に向って一体に突出し互いに離間対向する前後方向長手状で鉛直状の左右１対の突出部である突出板部17とを有している。ベルト支持板部16の上面には、搬送ベルト13の往路部分13aの下面と接触する略円形状の複数のベルト接触凸部分18が形成されている（図１参照）。
【００２３】
一方、搬送装置１は、搬送ベルト13の往路部分13aの幅方向一端部を下方から摺接可能に支持することによりこの幅方向一端部を水平方向に対する傾斜角度αをもって搬送ベルト13の往路部分13aの水平状態の幅方向中央部側に向って下り傾斜する傾斜状態にするトラフ棒等の一方のベルト支持体21と、搬送ベルト13の往路部分13aの幅方向他端部を下方から摺接可能に支持することによりこの幅方向他端部を水平方向に対する傾斜角度αをもって搬送ベルト13の往路部分13aの水平状態の幅方向中央部側に向って下り傾斜する傾斜状態にするトラフ棒等の他方のベルト支持体21とを備えている。
【００２４】
つまり、搬送装置１は、互いに離間対向し搬送ベルト13の往路部分13aの幅方向両端部をこれら幅方向両端部が正面視で略逆ハ字状をなすように傾斜状態に支持する位置調整可能な左右１対のベルト支持体21を備えている。
【００２５】
なお、搬送ベルト13の幅方向一端部は、ベルト支持板部16の上面から離れた図３に示すａ部分（幅方向一端側の部分）であり、また搬送ベルト13の幅方向他端部は、ベルト支持板部16の上面から離れた図３に示すｂ部分（幅方向他端側の部分）である。
【００２６】
そして、各ベルト支持体21は、左右対称のもので、搬送ベルト13の往路部分13aに対して左右方向（搬送方向に対して直交する水平方向）および上下方向に位置調整となっており、このベルト支持体21の搬送ベルト13の往路部分13aに対する位置調整により搬送ベルト13の往路部分13aの幅方向端部の傾斜角度αが調整可能となっている。
【００２７】
ここで、ベルト支持体21は、搬送ベルト13の往路部分13aの幅方向端部を支持する水平状で断面略円形状の支持部である支持棒部22と、この支持棒部22の複数箇所、例えば互いに等間隔をおいて３箇所から外側方に向って突出する水平状で断面略円形状の取付部である取付棒部23とを有している。支持棒部22は、搬送方向に沿って長手状のもので、この支持棒部22の長さ寸法はフレーム体３のベルト支持板部16の長さ寸法より少し短く、この支持棒部22の長手方向端部が外側方かつ斜め下方に向って折り曲げられている。支持棒部22は、断面略円形状であるため、搬送ベルト13と略線状に接触してこの搬送ベルト13を支持する。
【００２８】
また、装置本体２のフレーム体３の突出板部17の外面側の複数箇所には、図３および図４に示されるように、保持体27が取付手段、すなわち例えばボルト28およびナット29にて固定的に取り付けられている。そして、保持体27にて支持体被取付体30が脱着可能に嵌合保持され、この支持体被取付体30にベルト支持体21の取付棒部23が水平方向である左右方向に位置調整可能つまり水平移動調整可能に取り付けられている。また、支持体被取付体30は、保持体27に上下方向に位置調整可能つまり上下移動調整可能に取り付けられている。
【００２９】
保持体27は、取付板部31と、この取付板部31に設けられねじ孔部33が形成された上下方向の略４角筒状で上下面開口状の筒状保持部32とを有している。そして、取付板部31がボルト28およびナット29にてフレーム体３の突出板部17の外面側に固定的に取り付けられている。筒状保持部32には支持体被取付体30が移動可能でかつ嵌脱可能に嵌挿されており、この支持体被取付体30は、ねじ孔部33と螺合した位置決め固定部材であるボルト34の締め付けによって筒状保持部32に対して調整後の所望位置に位置決め固定されている。なお、ボルト34を緩めることにより、支持体被取付体30が保持体27に対して上下方向に移動可能となり、また支持体被取付体30を保持体27から取り外すことも可能となる。
【００３０】
支持体被取付体30は、上下方向長手状、例えば上下方向の略４角柱状のもので、この支持体被取付体30の上端部には、左右両側面に貫通した貫通孔部36およびこの貫通孔部36に連通したねじ孔部37が形成されている。そして、貫通孔部36にはベルト支持体21の取付棒部23が移動可能でかつ嵌脱可能に嵌挿されており、このベルト支持体21は、ねじ孔部37と螺合した位置決め固定部材であるボルト38の締め付けによって貫通孔部36に対して調整後の所望位置に位置決め固定されている。なお、ボルト38を緩めることにより、ベルト支持体21が支持体被取付体30に対して左右方向に移動可能となり、またベルト支持体21を支持体被取付体30から取り外すことも可能となる。
【００３１】
次に、搬送装置１の作用等を説明する。
【００３２】
搬送ベルト13の搬送面1aに載せられた細かなばら状の複数の物品Ｗは、駆動回転体７の駆動回転に基づいて搬送ベルト13が所定方向に回行することにより、搬送面1a上に載った状態で搬送方向へ搬送される。
【００３３】
そして、例えば作業者は、上方に向って略凹状であるトラフ状の搬送面1a上の物品Ｗの搬送状態を見ながら、物品Ｗの搬送量、形状、種類等、或いは搬送装置１の上流や下流に接続された搬送手段等に応じて、搬送ベルト13の往路部分13aの幅方向両端部の傾斜角度（トラフ角度）αを適宜調整する。
【００３４】
例えば図５に示すように、ボルト38を緩めてベルト支持体21を支持体被取付体30に対して搬送ベルト13から離れる方向である外側方に所望量移動させてから再びボルト38を締め付けてベルト支持体21を位置決め固定することにより、搬送ベルト13の傾斜角度αを図３に示す状態よりも小さくする。
【００３５】
また例えば図６に示すように、ボルト34を緩めて支持体被取付体30をベルト支持体21とともに保持体27に対して上方に所望量移動させてから再びボルト34を締め付けて支持体被取付体30を位置決め固定することにより、搬送ベルト13の傾斜角度αを図３に示す状態よりも大きくする。
【００３６】
つまり、作業者は、搬送面1a上の物品Ｗの搬送状態等に対応して、ベルト支持体21を搬送ベルト13の往路部分13aに対して左右方向および上下方向の少なくともいずれかの方向（搬送方向に対して交差する方向）に位置調整することにより、搬送ベルト13の往路部分13aの幅方向端部の傾斜角度αの調整を行う。
【００３７】
そして、搬送装置１によれば、シンプルで安価な構成であるにも拘わらず、両ベルト支持体21の搬送ベルト13に対する位置調整により、搬送ベルト13の往路部分13aの幅方向両端部の傾斜角度αが調整可能となっているため、例えば搬送ベルト13の搬送面1aで搬送される物品Ｗの搬送量や形状等に応じて搬送ベルト13の往路部分13aの幅方向両端部の傾斜角度αを所望角度に調整でき、よって、例えば物品Ｗが搬送面1a上から転がり落ちることや、物品Ｗが搬送面1a上で不必要に積み重なって下の物品Ｗが上の物品Ｗの自重で損傷すること等を防止でき、物品Ｗを安定的かつ効率的に搬送できる。
【００３８】
また、搬送ベルト13を装置本体２から取り外すことができるばかりでなく、支持体被取付体30を保持体27から取り外すことができるため、例えば搬送ベルト13、ベルト支持体21、および装置本体２のフレーム体３等を容易に清掃でき、またメンテナンスも容易である。
【００３９】
さらに、支持体被取付体30を取り外さなくても、例えば図３の２点鎖線で示すように、支持体被取付体30を持ち上げることでベルト支持体21とフレーム体３のベルト支持板部16との間の間隙40を大きくでき、ベルト支持板部16を容易かつ確実に清掃できる。
【００４０】
また、例えば物品Ｗの搬送時において、ベルト支持体21とフレーム体３のベルト支持板部16との間に所定大きさ以上の間隙40を確保することにより、ベルト支持体21とベルト支持板部16との間にごみ等が詰まることを防止できる。
【００４１】
さらに、ベルト支持体21の支持棒部22は搬送ベルト13の往路部分13aの幅方向端部と略線状に接触してこの幅方向端部を支持するため、ベルト支持体21と搬送ベルト13との接触面積が小さく、両者の摩擦によるごみ等の発生を抑制でき、しかも、摩擦抵抗の減少により省エネ効果もある。
【００４２】
なお、上記実施の形態では、アーム状の支持体被取付体30が保持体27に差し込まれて保持された構成について説明したが、例えば図７ないし図１０に示すように、アーム状の支持体被取付体30が保持体（ヒンジ）27の軸部41にて上下方向に回動可能に保持された構成でもよい。
【００４３】
この保持体27は、取付板部31に突設され互いに離間対向する１対の対向板部42を有し、これら両対向板部42に前後方向の軸部41が架設されている。支持体被取付体30の下部には、上下方向に長手方向を有する長孔状の軸挿通用孔部43が前後面に貫通して形成されている。この軸挿通用孔部43に軸部41がその軸挿通用孔部43に沿って移動可能に挿通され、この軸部41にて支持体被取付体30が軸部41を中心として回動可能に保持されている。支持体被取付体30の下面は、水平方向に対して傾斜する傾斜状の当接面44にて構成されている。
【００４４】
そして、支持体被取付体30は、物品Ｗの搬送時には、図７に示すように、軸部41を中心とする一方向への回動により、ベルト支持体21が搬送ベルト13の往路部分13aの幅方向端部を支持する作用状態に切り換えられる。この作用状態時において、ベルト支持体21の搬送ベルト13に対する位置調整により、搬送ベルト13の往路部分13aの幅方向端部の傾斜角度αが調整可能である。
【００４５】
また、支持体被取付体30は、搬送装置１の清掃時には、図８に示すように、軸部41を中心とする他方向への回動により、ベルト支持体21が搬送ベルト13から離れて搬送ベルト13の往路部分13aの幅方向端部を支持しない非作用状態（持ち上げ状態）に切り換えられる。
【００４６】
この非作用状態時には、支持体被取付体30の当接面44が保持体27の取付板部31の被当接面45に当接し、この当接により支持体被取付体30が非作用状態に維持されている。そして、この非作用状態時において、ベルト支持体21の全体（略全体を含む）がベルト支持板部16の上方位置より外側方に位置するため、ベルト支持板部16を容易かつ確実に清掃できる。
【００４７】
また、例えば支持体被取付体30が保持体27の軸部41に回動調整可能に保持され、この支持体被取付体30の回動調整に基づくベルト支持体21の搬送ベルト13に対する位置調整により搬送ベルト13の傾斜角度αが調整可能となっている構成でもよい。
【００４８】
また一方、ベルト支持体21が支持体被取付体30に水平移動調整可能に取り付けられた構成には限定されず、例えばベルト支持体21が支持体被取付体30に回動調整可能に取り付けられた構成や、ベルト支持体21が支持体被取付体30に上下移動調整可能に取り付けられた構成等でもよい。
【００４９】
また、例えばボルト34を有さず支持体被取付体30が保持体27に嵌脱可能に嵌合保持された構成、支持体被取付体30が保持体27に固設された構成、支持体被取付体30が保持体27に水平移動調整可能に保持された構成等でもよい。
【００５０】
さらに、ベルト支持体21が搬送ベルト13に対して左右方向および上下方向の少なくともいずれかの方向に位置調整可能な構成には限定されず、ベルト支持体21が搬送方向に対して交差する方向に位置調整可能であればよく、例えばベルト支持体21が水平方向に対して傾斜する傾斜方向に位置調整可能な構成等でもよい。
【符号の説明】
【００５１】
１    搬送装置
２    装置本体
13    搬送ベルト
21    ベルト支持体
27    保持体
30    支持体被取付体
38    位置決め固定部材であるボルト
41    軸部
Ｗ    物品
【図１】
2010254426.tif 000003
【図２】
2010254426.tif 000004
【図３】
2010254426.tif 000005
【図４】
2010254426.tif 000006
【図５】
2010254426.tif 000007
【図６】
2010254426.tif 000008
【図７】
2010254426.tif 000009
【図８】
2010254426.tif 000010
【図９】
2010254426.tif 000011
【図１０】
2010254426.tif 000012